(57)【要約】【課題】製造効率の向上を図ることができ、上面板の構成にバリエーションを持たせることも容易である接着パネルを提供すること。【解決手段】表面板１と、該表面板１の下方に配され、上方に突出する略半球面状のディンプル３を複数有する裏面板２とを具備したフリーアクセスフロア用のパネルであって、前記表面板１を非金属製、前記裏面板２を金属製とし、前記表面板１と前記裏面板２とを接着剤により接着し、前記表面板１及び裏面板２によって囲まれる空間のコーナー部に補強部材７を配する。【選択図】図２
2020153136.tif 000002
【特許請求の範囲】
【請求項１】
表面板と、
該表面板の下方に配され、上方に突出する略半球面状のディンプルを複数有する裏面板とを具備したフリーアクセスフロア用のパネルであって、
前記表面板を非金属製、前記裏面板を金属製とし、
前記表面板と前記裏面板とを接着剤により接着した接着パネル。
【請求項２】
前記表面板及び裏面板によって囲まれる空間のコーナー部に補強部材を配した請求項１に記載の接着パネル。
【請求項３】
前記裏面板において前記ディンプルを避けた位置に貫通孔を設けてある請求項１または２に記載の接着パネル。
【発明の詳細な説明】
【技術分野】
【０００１】
本発明は、例えば、フリーアクセスフロア（ＯＡフロア、二重床）を構成するパネルに関する。
【背景技術】
【０００２】
従来、鋼板を所望の形状にプレス成形した表面板と裏面板を接合し一体化したパネルがフリーアクセスフロアに使用されている（例えば特許文献１参照）。そして、この種のパネルでは、その耐荷重強度を増大させるために、表面板と表面板で囲まれる空間に軽量モルタル等の充填材が充填されている。
【先行技術文献】
【特許文献】
【０００３】
【特許文献１】特開平２−９１３５３号公報
【発明の概要】
【発明が解決しようとする課題】
【０００４】
しかし、上記従来のパネルでは、例えば、表面板及び裏面板が冷延鋼板をプレス加工してなるものであり、両者をかしめてスポット溶接で接合する場合、溶接後の塗装対応（焼付塗装）が必要である上、軽量モルタル等を養生しなければならず、その製造効率が悪く、製造期間が長期化するという問題がある。そこで、本発明者は、鋭意研究の結果、斯かる問題を解消することのできるパネルの開発に成功した。
【０００５】
本発明は上述の事柄に留意してなされたもので、その目的は、製造効率の向上を図ることができ、上面板の構成にバリエーションを持たせることも容易である接着パネルを提供することにある。
【課題を解決するための手段】
【０００６】
上記目的を達成するために、本発明に係る接着パネルは、表面板と、該表面板の下方に配され、上方に突出する略半球面状のディンプルを複数有する裏面板とを具備したフリーアクセスフロア用のパネルであって、前記表面板を非金属製、前記裏面板を金属製とし、前記表面板と前記裏面板とを接着剤により接着した（請求項１）。
【０００７】
上記接着パネルにおいて、前記表面板及び裏面板によって囲まれる空間のコーナー部に補強部材を配してもよい（請求項２）。
【０００８】
上記接着パネルにおいて、前記裏面板において前記ディンプルを避けた位置に貫通孔を設けてもよい（請求項３）。
【発明の効果】
【０００９】
本願発明では、製造効率の向上を図ることができ、上面板の構成にバリエーションを持たせることも容易である接着パネルが得られる。
【００１０】
すなわち、本願の各請求項に係る発明の接着パネルでは、表面板を非金属製、裏面板を金属製とし、両者を接着剤により接着するので、例えば表面塗装のプレ処理を施した亜鉛めっき鋼板を裏面板に用いて、接着後の塗装を不要とすれば、製造効率の向上、ひいては製造期間の短縮化を容易に図ることができる。また、裏面板にディンプルを設けて強度を向上させた本発明のパネルでは、表面板と裏面板によって囲まれる空間内にモルタル等の充填を行う必要がなく、その養生が不要であるため、この点からも製造期間を大いに短縮することができる。
【００１１】
さらに、裏面板に接着する表面板については、溶接等を行わないので、その構成にバリエーションを持たせることが容易である上、上記空間内にモルタル等の充填を行わないようにすることにより、パネルの軽量化や、パネルをフロアに敷き並べたときにそのフロアから一部がはみ出すことになるパネルを適宜に切断してカットパネルとする作業が容易にもなる。
【００１２】
請求項２に係る発明の接着パネルでは、その使用時に応力集中が生じる角部周辺の強度向上を図ることができ、耐久性の向上に資するものとなる。
【００１３】
請求項３に係る発明の接着パネルでは、ハイヒール等でその上を重歩行した際に音がこもり響くことを防止することができる。
【図面の簡単な説明】
【００１４】
【図１】（Ａ）及び（Ｂ）は、本発明の一実施の形態に係る接着パネルの構成を概略的に示す全体斜視図及び部分拡大斜視図である。
【図２】（Ａ）は前記接着パネルの裏面板の構成を概略的に示す平面図、（Ｂ）は前記パネルを（Ａ）のＢ−Ｂ線の位置で切断して示す縦断面図である。
【図３】前記接着パネルの表面板を除いた状態の構成を概略的に示す斜視図である。
【図４】前記接着パネルの変形例の構成を概略的に示す説明図である。
【図５】（Ａ）及び（Ｂ）は、前記接着パネルの変形例の構成を概略的に示す全体斜視図及び部分拡大斜視図である。
【発明を実施するための形態】
【００１５】
本発明の実施の形態について図面を参照しながら以下に説明する。
【００１６】
図１（Ａ）及び（Ｂ）に示す接着パネルは、フリーアクセスフロア用のパネルであり、平面視略方形状をしており、床面から所定高さに浮いた状態となるようにその四つの角部が支持脚Ｌによってそれぞれ着脱自在に支持される。そして、図２（Ｂ）に示すように、この接着パネルは、表面板１及びこの表面板１の下方に配される裏面板２を具備する。
【００１７】
表面板１は、非金属製（金属のみからならない）で厚みが略一定の部材であり、例えば、プレ成型されたセメント板等の特殊セメント板によって構成することができる。
【００１８】
裏面板２は、金属製の部材であり、本例では、プレス加工を行った鋼板によって構成する。すなわち、裏面板２は、図２（Ａ）及び（Ｂ）、図３に示すように、上方に突出する略半球面状のディンプル３を複数有する。ディンプル３は、深さが均一でありながら、平面視における大きさは不均一であり、図２（Ａ）に示すように複数の列状に配されている（図示例では横方向に間隔を置いて並ぶディンプル３の列が五つある）。
【００１９】
なお、本例では、図２（Ａ）に示すように、裏面板２の中央の１個のディンプル３を円状に囲むようにこれよりやや大きい６個のディンプル３が配され、これら計７個のディンプル３を囲むように額縁状に計１６個のディンプル３が配されている。各辺５個の額縁状に配された１６個のディンプル３は、相対的に大きいものと小さいものとが交互に並び、４隅のディンプル３と各辺中央のディンプル３とが小さくなっている。図１（Ａ）の例では、縦方向において中央に位置する列の中央と両端のディンプル３が最小、縦方向において両端に位置する列の中央と両端のディンプル３がその次に小さく、それ以外のディンプル３が最大となるようにしてある。
【００２０】
すなわち、本例では、ディンプル３を大中小の３タイプとしてあり、図２（Ｂ）に示すように、一番大きいディンプル３Ａと、中間の大きさのディンプル３Ｂと、一番小さいディンプル３Ｃとで、その断面形状は異なり、一番大きいディンプル３Ａはその縦断面形状が最も緩やかなカーブを描き、一番小さいディンプル３Ｃはその断面形状が最も急なカーブを描くように構成してある。
【００２１】
また、上方に突出する各ディンプル３の頂部が表面板１の下面に接触することによって表面板１の周縁部において裏面板２との間に隙間が生じることのないように、図２（Ｂ）、図３に示すように、裏面板２の側壁４は、各ディンプル３が設けられた底壁５から立ち上がっていて、側壁４の上端には、各ディンプル３の頂部の上面と同一高さの上面を有する平面部６を設けてある。
【００２２】
このように、裏面板２に複数のディンプル３を設けることにより、パネルの強度の向上を図ることができる。
【００２３】
そして、表面板１と裏面板２とは、例えばウレタン系接着剤等の接着材により接着するのであり、具体的には、裏面板２の周縁全体にわたって設けた平面部６と、各ディンプル３の頂部とに接着剤を塗布し、この塗布した部分を表面板１の下面に接着する。なお、表面板１、裏面板２はともに平面視略方形状をしていて、両者１，２の周縁は相互に略合致する大きさとなっている。
【００２４】
以上のように構成する接着パネルでは、表面板１を非金属製、裏面板２を金属製とし、両者を接着剤により接着するので、例えば表面塗装のプレ処理を施した亜鉛めっき鋼板を裏面板２に用いて、接着後の塗装を不要とすれば、製造効率の向上、ひいては製造期間の短縮化を容易に図ることができる。また、裏面板２にディンプル３を設けて強度を向上させた本例の接着パネルでは、表面板１と裏面板２によって囲まれる空間内にモルタル等の充填を行う必要がなく、その養生が不要であるため、この点からも製造期間を大いに短縮することができる。
【００２５】
さらに、裏面板２に接着する表面板１については、溶接等を行わないので、その構成にバリエーションを持たせることが容易である上、上記空間内にモルタル等の充填を行わないようにすることにより、接着パネルの軽量化や、接着パネルをフロアに敷き並べたときにそのフロアから一部がはみ出すことになる接着パネルを適宜に切断してカットパネルとする作業が容易にもなる。
【００２６】
ところで、上記のように構成した接着パネルは、その使用時に、支持脚Ｌによって支持される角部に応力集中が生じるため、角部周辺の強度向上を図り、ひいては耐久性の向上を図ることが好ましい。そこで、本例では、図４に示すように、表面板１及び裏面板２によって囲まれる空間のコーナー部に補強部材７を配する。
【００２７】
補強部材７は、有底筒状で上方が開放された金属製（または合成樹脂製）のシェル７ａと、このシェル７ａ内に充填され硬化するモルタル等の充填材７ｂとによって構成してある。そして、この補強部材７は、裏面板２のコーナー部の内面（底壁５、側壁４の内面）に対して、その下面、側面等の少なくとも一面が接着剤により接着される。なお、補強部材７は、この接着を可能とするために、裏面板２のコーナー部の内面に対し、その内面に接着される面が沿うように構成しておく。
【００２８】
ここで、補強部材７は、表面板１及び裏面板２によって囲まれる空間のコーナー部に配された状態で、表面板１の下面にも当接し、さらにはその下面に接着してあってもよいし、表面板１の下面から若干離間していてもよい。
【００２９】
また、図４に示す例では、裏面板２の底壁５のコーナー部を盛り上げ、その強度向上を図っているのであって、この盛り上がったコーナー部の上方に補強部材７を配するようにしてある。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
例えば、図３の例では、底壁５の周縁部を除いた中央部を盛り上げ、この盛り上げた部分に全てのディンプル３を設けているが、これに限らず、底壁５において盛り上げる部分の範囲やディンプル３の設け方は適宜に変更可能である。
【００３２】
上記本例の接着パネルでは、表面板１と裏面板２とによって囲まれる空間を中空のままとし、モルタル等の充填材を充填しない。そのため、表面板１の素材等によっては、このパネル上を例えばハイヒール等で重歩行した際、その音がこもって響いてしまう恐れがある。そこで、こうした点が懸念される場合には、図１に破線で示すように、裏面板２においてディンプル３を避けた位置に貫通孔８を一つないし複数設け、音が下方に抜けてこもらなくなるようにしてもよい。あるいは、この貫通孔８を設ける構成に代えて、若しくは加えて、養生が不要な吸音材を、表面板１と裏面板２とによって囲まれる空間内に収容したり、裏面板２の下面側に配するようにしたりしてもよい。
【００３３】
図１（Ａ）及び（Ｂ）には、表面板１として、特殊セメント板を用いた例を示しているが、これに限らず、例えば図５（Ａ）及び（Ｂ）に示すように、表面板１として、木製（竹製）集成材を用いるようにしてもよい。すなわち、本発明の接着パネルは、表面板１に種々のバリエーションを持たせることができる、いわばマルチ仕上パネルとして用いることが可能である。
【００３４】
なお、上記変形例どうしを適宜組み合わせてもよいことはいうまでもない。
【符号の説明】
【００３５】
１    表面板
２    裏面板
３    ディンプル
４    側壁
５    底壁
６    平面部
７    補強部材
７ａ  シェル
７ｂ  充填材
８    貫通孔
Ｌ    支持脚
【図１】
2020153136.tif 000003
【図２】
2020153136.tif 000004
【図３】
2020153136.tif 000005
【図４】
2020153136.tif 000006
【図５】
2020153136.tif 000007